(57)【特許請求の範囲】
【請求項１】
乗客が乗り降り可能な乗りかごと、
前記乗りかご内に設置され、前記乗りかご内に存在する前記乗客の有無を把握する検出手段と、
前記検出手段からの情報を基にして前記乗りかご内に前記乗客が存在しないことを確認し、前記乗りかご内が無人である場合に乗場呼びがなされた階床が属する運転対象ゾーンを選択する判断・選択手段と、
運転対象ゾーンが選択されると、選択された運転対象ゾーン以外のゾーンに属する階床に対して、前記運転対象ゾーンにおける運転がされる旨の報知を行う報知手段と、
を備えることを特徴とするエレベータ。
【請求項２】
前記乗りかご内には、前記乗りかごが到着可能な階床を示す表示手段が設けられていることを特徴とする請求項１に記載のエレベータ。
【発明の詳細な説明】
【技術分野】
【０００１】
本発明は、エレベータ及びエレベータの制御方法に関する。
【背景技術】
【０００２】
近年、エレベータの利用に当たって、許可された特定の人のみが特定階へ行くことができる、ということが求められることがある。例えば、機密に触れる内容を扱う部署が設けられている階床には、セキュリティ確保の観点から、不特定多数の人が立ち入ることができないようにエレベータがその階床に止まらない、といったエレベータの制御方法が採用される。これは、いわばエレベータが止まる階床を複数のゾーンに分けて、それぞれのゾーンに立ち入ることのできる乗客のみがそのゾーン内の階床にて乗降できるようにしたものである。
【０００３】
この制御方法を採用するエレベータの制御装置の一例として、以下の特許文献１を挙げることができる。この特許文献１には、特定階で登録された乗場呼びに応答するかごを、空かごの中から選択して割り当て、この割当かごが特定階の乗場呼びに応答するまで、一般階の乗場呼びの割り当てを制限するようにしたエレベータの制御装置が開示されている。この発明によれば、制御装置がこのようなエレベータの制御を行うため、乗客の乗ったかごが特定階に到着することはない、とされる。
【先行技術文献】
【特許文献】
【０００４】
【特許文献１】特開平０５−１７０８３号公報
【発明の概要】
【発明が解決しようとする課題】
【０００５】
しかしながら、特許文献１に開示されたエレベータの制御装置は、以下の点について考慮されていない。
【０００６】
すなわち、特許文献１に開示された発明における制御装置は、ある建物に設置された複数基のエレベータを制御するために用いられる。そのため、複数基設けられたエレベータの制御であれば上述した効果も発揮できると思われるが、エレベータが１基しか設置されない建物においては採用することができない。
【０００７】
実際には複数基のエレベータを設置することができない建物も多く、そのような建物におけるエレベータを利用したセキュリティの確保も当然求められるものである。これまでは、例えば、キースイッチや暗証番号登録等を用いたセキュリティの確保が行われてきているが、例えば、既にエレベータ（乗りかご）に乗っている乗客に対するセキュリティの管理に不安が残る場合が考えられた。
【０００８】
本発明は上記課題を解決するためになされたものであり、本発明の目的は、エレベータが１基しか設置されない状況下において、階床を複数のゾーンに分けて各ゾーンごとの運転を行うことで許可された乗客のみをそのゾーン内の階床に移動させるとともに、乗りかご内に乗客が存在しない場合にのみ運転対象ゾーンを変更することで十分なセキュリティを確保することのできるエレベータ及びエレベータの制御方法を提供することである。
【課題を解決するための手段】
【０００９】
本発明の実施に係る第１の特徴は、エレベータにおいて、乗客が乗り降り可能な乗りかごと、乗りかご内に設置され、乗りかご内に存在する前記乗客の有無を把握する検出手段と、検出手段からの情報を基にして乗りかご内に乗客が存在しないことを確認し、乗りかご内が無人である場合に乗場呼びがなされた階床が属する運転対象ゾーンを選択する判断・選択手段と、運転対象ゾーンが選択されると、選択された運転対象ゾーン以外のゾーンに属する階床に対して、運転対象ゾーンにおける運転がされる旨の報知を行う報知手段と、を備える。
【００１０】
本発明の実施の形態に係る第２の特徴は、エレベータの制御方法において、乗りかごに乗客が乗っていない場合に、乗場呼びがなされた階床が属する運転対象ゾーンを確認するステップと、運転対象ゾーン以外のゾーンに属する階床に運転対象ゾーンにおける運転がされる旨の報知を行うステップと、乗場呼びがなされた階床に前記乗りかごが移動するステップと、乗りかごが乗場呼びがなされた階床に到着後、乗りかご内における呼び登録を受け付けるステップと、乗りかご内における呼び登録がなされた階床に乗りかごが移動するステップと、乗りかごが乗りかご内における呼び登録がなされた階床に到着後、乗りかご内における乗客の有無を検出するステップと、乗りかご内に乗客が存在する場合には、乗客による呼び登録に従って目的の階床へ乗りかごが移動するステップと、乗りかご内に乗客が存在しない場合に、運転対象ゾーンと同一のゾーンからの他の乗場呼び登録の有無を確認するステップと、他の乗場呼び登録がなく、運転対象ゾーン以外のゾーンに属する階床における乗場呼びを確認した場合に、運転対象ゾーンの変更を行い、新たな運転対象ゾーンにおいて乗りかごの運転制御を行うステップとを備える。
【発明の効果】
【００１１】
本発明によれば、エレベータが１基しか設置されない状況下において、階床を複数のゾーンに分けて各ゾーンごとの運転を行うことで許可された乗客のみをそのゾーン内の階床に移動させるとともに、乗りかご内に乗客が存在しない場合にのみ運転対象ゾーンを変更することで十分なセキュリティを確保することのできるエレベータ及びエレベータの制御方法を提供することができる。
【図面の簡単な説明】
【００１２】
【図１】本発明の実施の形態に係るエレベータの全体構成を示す全体図である。
【図２】本発明の実施の形態に係る制御手段の内部構成を示すブロック図である。
【図３】本発明の実施の形態に係るエレベータの制御方法の流れを示すフローチャートである。
【図４】本発明の実施の形態に係るエレベータの制御方法の流れを示すフローチャートである。
【図５】本発明の実施の形態に係るエレベータの制御方法の流れを示すフローチャートである。
【発明を実施するための形態】
【００１３】
以下、本発明の実施の形態について図面を参照して詳細に説明する。
【００１４】
図１は、本発明の実施の形態におけるエレベータＥの全体構成を示す全体図である。エレベータＥは、乗客が乗る乗りかご１と、この乗りかご１にその一端が連結され図示しない他端に釣り合い重りが連結されるロープＲとから構成される。なお、図示されてはいないが、ロープＲが巻き掛けられ乗りかご１を昇降路Ｈ内において昇降させるための巻上機や調速機等、通常エレベータＥを構成する各要素は当然設けられている。
【００１５】
乗りかご１内には、かご内呼び登録ボタン２が設けられており、乗りかご１に乗り込んだ乗客が目的とする階床を登録するために使用する。また、乗りかご１内には、乗りかご１内の乗客の有無を検出するための検出手段３が設置されている。
【００１６】
検出手段３は、乗りかご１内に乗客が存在するか否かを検出するための手段であることから、乗客が検出できればどのような装置であっても良い。ここでは、例えば、人感センサーや実際に乗りかご１内を撮影することができるカメラ等が好適に用いられる。
【００１７】
乗りかご１の運転制御は、制御手段４によって行われる。図１においては、昇降路Ｈの横に示されているが、エレベータＥのどの場所に設けられていても良い。また、図１における制御手段４には、この制御手段４に向かう破線で示される矢印と、制御手段４から外に向かう破線の矢印とが表わされているが、これは、前者が制御手段４に送信される各種信号の流れを示し、後者は、制御手段４からエレベータＥの各要素に対して出される制御信号の流れを示すものである。
【００１８】
図２は、制御手段４の内部構成を示すブロック図である。制御手段４は、受信手段４ａと、判断・選択手段４ｂと、計時手段４ｃと、送信手段４ｄとから構成される。なお、図２で示す受信手段４ａに向かう矢印、及び送信手段４ｄから制御手段４の外で向かう矢印がそれぞれ上述した図１における制御手段４の前者、後者の破線の矢印に該当する。
【００１９】
判断・選択手段４ｂは、エレベータＥの各要素から送信された信号を基に必要な判断及び制御内容を選択し、送信手段４ｄを介して各要素へと制御信号として送信する。また、計時手段４ｃは、各要素の制御に当たって必要となる時間を計測する手段である。
【００２０】
図１に示すように、本発明の実施の形態におけるエレベータＥは、４階建ての建物に設置されている。また、設置されているエレベータＥの数は１基である。４つの階床は便宜上、奇数階が「Ａゾーン」と、偶数階が「Ｂゾーン」とゾーンが分かれており、ゾーンごとに乗りかご１の運転制御が行われる。
【００２１】
なお、このように本発明の実施の形態においては、「Ａゾーン」と「Ｂゾーン」との２つのゾーンが設けられていることを前提として以下説明するが、設けられるゾーンの数はいくつであっても良い。
【００２２】
すなわち、１，３階がＡゾーンに、２，４階がＢゾーンに分けられる。エレベータＥ（乗りかご１）は、Ａゾーン、或いはＢゾーンのいずれかの階床にのみ止まるように運転制御される。例えば、Ａゾーンが運転対象ゾーンであるとした場合、乗りかご１が止まる階床は、Ａゾーンの１階、３階のみである。反対にＢゾーンが運転対象ゾーンである場合には、２階、４階にのみ乗りかご１が停止する。従って、ゾーンを跨ぐような、例えば、２階に止まって３階にも止まる、といった運転制御は行われない。
【００２３】
また、各階床には、乗りかご１を呼ぶための乗場呼びボタン５が設置されている。乗場呼びボタン５は各階床に設けられており（１階から４階に向けて乗場呼びボタン５ａないし５ｄ）、エレベータＥを利用する者は、いずれかの階床においてこの乗場呼びボタン５を押して乗りかご１を呼ぶ。なお、各階の乗場呼びボタン５ａないし５ｄは、以下、適宜まとめて「乗場呼びボタン５」と表わす。
【００２４】
各階床の乗場には、さらに、その階床を含むゾーン以外の運転対象ゾーンにおいて乗りかご１が運転されていること、或いは、その階床を含むゾーンが運転対象ゾーンであることを示す報知手段６が設けられている。なお、本発明の実施の形態においては、報知手段６はその階床を含むゾーン以外の運転対象ゾーンにおいて乗りかご１が運転されていることを示している。
【００２５】
報知の方法としては、例えば、ランプが点灯する、モニタによって乗りかご１内の様子が映し出される、音声によって乗客に知らせる、という、いずれの方法が採用されても良い。報知の方法に合わせて報知手段６も適宜選択される。報知手段６が例えばランプであり、その階床を含むゾーン以外のゾーンにおいて乗りかご１が運転されているとした場合、Ａゾーンが運転対象ゾーンである場合には、Ｂゾーンに含まれる２階、４階の乗場において点灯して、乗客に注意を促す。
【００２６】
次に、図３及び図４のフローチャートを利用して本発明の実施の形態におけるエレベータの制御方法の流れを説明する。
【００２７】
まず、制御手段４が乗りかご１の運転制御を行う場合、判断・選択手段４ｂは、検出手段３に対して乗りかご１内に乗客が存在するか否か検出するよう指示する（ＳＴ１）。検出手段３からの信号により、判断・選択手段４ｂが乗りかご１内に乗客が存在すると判断した場合には（ＳＴ１のＮＯ）、その乗りかご１は、例えば、特定のゾーンを運転対象ゾーンとして運転制御されていると判断できるので、そのまま引き続き運転制御される。
【００２８】
一方、乗りかご１内に乗客が存在しないと判断できる場合には（ＳＴ１のＹＥＳ）、Ａゾーンに含まれる階床から乗場呼び登録の信号が送信されたか否かが判断される（ＳＴ２）。
【００２９】
Ａゾーンに含まれる階床から乗場呼び登録がなされていない場合（ＳＴ２のＮＯ）、さらに他のゾーンに含まれる階床からの乗場呼びであるか否かが判断される（ＳＴ３）。本発明の実施の形態においては、Ａゾーンの他にはＢゾーンのみが設定されているので、ここではＢゾーンに含まれる階床からの乗場呼び登録の有無が判断される。Ｂゾーンからの乗場呼び登録もない場合には、いずれの階床からも乗場呼び登録がないことになるので、乗りかご１はこのまま待機する。
【００３０】
一方、Ａゾーン、或いはＢゾーンに含まれる階床から乗場呼び登録がなされた場合（ＳＴ２のＹＥＳ、或いは、ＳＴ３のＹＥＳ）には、以下の通り乗りかご１に対する運転制御が行われる。なお、以下では、Ａゾーンに含まれる階床から乗場呼び登録がなされた場合（ＳＴ２のＹＥＳ）を例に挙げて説明を行う。すなわち、Ａゾーンが運転対象ゾーンである。但し、Ｂゾーンに含まれる階床から乗場呼び登録がなされた場合（ＳＴ３のＹＥＳ）もほぼ同じ運転制御がなされる。
【００３１】
Ａゾーンに含まれる階床から乗場呼び登録がなされた場合、まず、判断・選択手段４ｂは、Ｂゾーンに含まれる階床の乗場に設置されている報知手段６ｂ，６ｄを介して、その階床にいる乗客に対してＡゾーンが運転対象ゾーンであることを報知して注意を喚起する（ＳＴ４）。この報知によって、Ｂゾーンに含まれる階床の乗場にいる乗客は、Ａゾーンにおける乗りかご１の運転が終了しなければ、エレベータＥに乗ることができないことを理解することができる。
【００３２】
Ｂゾーンに含まれる階床の乗場に報知するとともに、制御手段４は巻上機等に指示し、乗りかご１をＡゾーン内の乗場呼び登録階へ移動させる（ＳＴ５）。乗場呼び登録階に到着した乗りかご１は、エレベータドアを開く（ＳＴ６）。
【００３３】
次に、検出手段３は、エレベータドアが開いた乗りかご１に乗客が乗り込んだか否かを検出する（ＳＴ７）。エレベータドアはその開動作を指示されるのと同時に、判断・選択手段４ｂから計時手段４ｃに対して計時指示が出され、エレベータドアは予め定められた所定の時間開いている。
【００３４】
この所定時間が経過しても検出手段３が乗りかご１内の乗客を検出できない場合には（ＳＴ８のＹＥＳ）、判断・選択手段４ｂはエレベータドアを閉める指示を出すとともに（ＳＴ９）、Ｂゾーンに含まれる階床の乗場に設置されている報知手段６ｂ，６ｄに対して、その乗場にいる乗客に対する報知を終了する（ＳＴ１０）。この報知が終了（例えば、報知手段６がランプである場合に、ランプが消灯）すると、Ｂゾーンに含まれる階床の乗場にいる乗客は乗場呼びボタンを押して乗場呼び登録を行うことができる。
【００３５】
乗りかご１内に乗客が乗り込んだことが検出手段３によって検出されると（ＳＴ７のＹＥＳ）、判断・選択手段４ｂはエレベータドアを閉めるように指示する（ＳＴ１１）。エレベータＥ（乗りかご１）に乗り込んだ乗客は、自分が目的とする階床に行くために、乗りかご１内に設置されているかご内呼び登録ボタン２を押し下げる。そこで、判断・選択手段４ｂは乗りかご１内から呼び登録があるか否かを判断し（ＳＴ１２）、呼び登録があるまで待機する。
【００３６】
ここで、本発明の実施の形態においては、乗りかご１は複数設定される運転対象ゾーンごとに昇降路Ｈ内を昇降するが、乗りかご１のかご内呼び登録ボタン２は、通常のエレベータＥ（乗りかご１）と同様、全ての運転対象ゾーンに含まれる全ての階床について設けられている。従って、例えば、運転対象ゾーンがＡゾーンである場合であっても乗客がＢゾーンの階床についてのかご内呼び登録ボタン２を押し下げる可能性もある。そこで、現在運転制御されている運転対象ゾーン以外のゾーンに含まれる階床のかご内呼び登録ボタン２を押し下げた場合には（ＳＴ１３のＹＥＳ）、判断・選択手段４ｂは適切な階床（運転対象ゾーンに含まれる階床）を表わすかご内呼び登録ボタン２が押し下げられたとは判断せず、そのまま呼びがあるまで待機する。
【００３７】
なお、かご内呼び登録ボタン２において、運転対象ゾーンに含まれる階床とそれ以外の階床とをどのように乗客に報知するかについては、任意の方法を採用することができる。例えば、図１に示す乗りかご１内におけるかご内呼び登録ボタン２の場合、運転対象ゾーンに含まれない階床のボタンについては非アクティブに表わされ、運転対象ゾーンに含まれる階床のボタンのみがアクティブとなるように表わされる。また、かご内呼び登録ボタン２とは別に運転対象ゾーンの階床のみ、或いは、運転対象ゾーンに含まれない階床のみを示すライトを点灯させる表示灯等を設けるといった方法を採用することもできる。
【００３８】
運転対象ゾーン（Ａゾーン）に含まれる階床のかご内呼び登録ボタン２が押し下げられたと判断・選択手段４ｂが判断した場合には（ＳＴ１４のＹＥＳ）、かご内呼び登録ボタン２によって呼び登録がされたＡゾーン内の登録階へと乗りかご１を昇降させる（ＳＴ１５）。
【００３９】
登録階へと到着すると、判断・選択手段４ｂはエレベータドアを開くことを指示するとともに（ＳＴ１６）、計時手段４ｃに対してエレベータドアの開放時間について、計時するよう指示する。このように制御されるため、所定の時間が経過するまでは（ＳＴ１７のＮＯ）、エレベータドアは開放されたままである。この所定の時間は乗りかご１内における乗客の乗降にかかる時間であるが、その時間は任意に設定することができる。所定の時間が経過すると、判断・選択手段４ｂはエレベータドアを閉めるよう指示する（ＳＴ１８）。
【００４０】
さらに、検出手段３に対して乗りかご１内に乗客が存在するか否か、検出するよう指示する（ＳＴ１９）。検出手段３による検出の結果、乗りかご１内に未だ乗客が存在する場合には、ステップ１５に戻り再度別のかご呼び登録された階床へと移動する。
【００４１】
一方、検出の結果、乗りかご１内に乗客がいないと判断できる場合には（ＳＴ１９のＮＯ）、現在運転対象ゾーンであるＡゾーンの他の階床からの乗場呼び登録があるか否か判断される（ＳＴ２０）。他の階床からの乗りが呼び登録がある場合には、以上述べた流れに沿って乗りかご１がＡゾーン内を移動するよう運転制御される（ＳＴ５以下）。
【００４２】
運転対象ゾーン内から乗場呼び登録がない場合には（ＳＴ２０のＮＯ）、今度は運転対象ゾーンではないＢゾーンに含まれる階床の乗場からの乗場呼び登録の有無が判断される（ＳＴ２１）。運転対象ゾーンではないゾーン（Ｂゾーン）に含まれる階床の乗場からの乗場呼び登録がある場合には（ＳＴ２１のＹＥＳ）、新たに運転対象ゾーンではなくなるゾーン（Ａゾーン）に含まれる階床の乗場に報知して（ＳＴ４）、以上述べた流れに沿って乗りかご１が運転対象ゾーン内を昇降する（ＳＴ５）。
【００４３】
運転対象ゾーンではないゾーン（Ｂゾーン）に含まれる階床の乗場からの乗場呼び登録もなかった場合には（ＳＴ２１のＮＯ）、ステップ４にて点灯された運転対象ゾーンではないＢゾーンに含まれる階床の乗場における報知を終了させて（ＳＴ２２）、上述した一連のエレベータの制御が終了する。
【００４４】
次に、運転対象ゾーンの変更の一例について、図５を利用して説明する。セキュリティを確保するべく乗りかご１内に乗客が存在しないときに限って変更することができるのは上述した通りである。
【００４５】
まず、現在運転対象ゾーンとなっているゾーン内において乗りかご１が運転制御されている際に、運転対象ゾーンではないゾーンに含まれる階床の乗場から乗場呼びがあるか否かが判断される（ＳＴ３１）。判断・選択手段４ｂは、運転対象ゾーン内における乗りかご１の運転制御を行いつつ、このような乗場呼びを受信するかチェックを行っている。他のゾーンからの乗場呼びがあったと判断した場合には（ＳＴ３１のＹＥＳ）、まず、計時手段４ｃに所定の設定時間を経過したか否かを確認する（ＳＴ３２）。
【００４６】
ここで判断・選択手段４ｂが所定の設定時間を確認するのは、１基のエレベータを複数のゾーンに分けてそれぞれのゾーンに交わることのないように運転制御する以上、他のゾーンの使用者との関係でいずれかのゾーンにおいてのみ運転させるわけにはいかない。そこで、運転対象ゾーンに含まれる階床からの乗場呼び登録が初めて行われた時点を基準として、そこから所定の時間経過したか否かを判断するものである。いわば、時間を区切って運転対象ゾーンの変更を行う方法であるといえる。なお、この所定の設定時間は、例えば、ゾーンごとのエレベータＥの使用頻度等を勘案して任意に設定することができる。
【００４７】
所定の設定時間が経過していないと判断される場合（ＳＴ３２のＮＯ）、次に乗場呼び登録が予め設定された登録回数を超過したか否か判断される（ＳＴ３３）。これは登録回数の多寡を基準に運転対象ゾーンの変更を行う方法であるといえる。登録回数は予め判断・選択手段４ｂ内に記憶されている。登録回数が超過していない場合には（ＳＴ３３のＮＯ）、改めて所定の設定時間が経過したか否かの判断へと戻る（ＳＴ３２）。
【００４８】
所定の設定時間を超過した場合（ＳＴ３２のＹＥＳ）、或いは、乗場呼び登録が予め設定された登録回数を超過した場合（ＳＴ３３のＹＥＳ）には、現在運転対象ゾーンとされているゾーン内の階床における乗場呼び登録を禁止する（ＳＴ３４）。ここで乗場呼び登録を禁止することによって、禁止されるまでに登録された全ての乗場呼びに応答した後、運転対象ゾーンを変更することになる。
【００４９】
但し、乗りかご１内に乗客が存在しているとセキュリティを確保することができないため、検出手段３によって乗りかご１内における乗客の有無が検出され（ＳＴ３５）、乗りかご１内に乗客が乗っている場合には、その運転対象ゾーンにおける全ての乗場呼び登録、かご内呼び登録に応答するまで運転が継続される（ＳＴ３６）。
【００５０】
全ての呼び登録に応答し、乗りかご１内に乗客がいないと確認できた場合には（ＳＴ３５のＹＥＳ）、これまでの運転対象ゾーンから新たな運転対象ゾーンへと変更され、その新たな運転対象ゾーンの乗場呼びに対応する（ＳＴ３７）。
【００５１】
なお、以上説明した運転対象ゾーンの変更の方法は、制御手段４において自動的に行われる方法であるが、運転対象ゾーン以外のゾーンの階床からの乗場呼びがあった場合に、乗りかご１内における乗客に注意を喚起し、運転対象ゾーンの変更を自主的に促す方法も考えられる。
【００５２】
この場合、乗りかご１内にかご内呼び登録ボタン２以外に、運転対象ゾーン以外のゾーンからの乗場呼びがなされていることを示す乗場呼び報知手段が設けられている（図１において図示せず）。この場合に、乗場呼び報知手段が乗客に報知することによって、乗りかご１内における乗客に運転対象ゾーン以外のゾーンからの乗場呼びがなされていることを認識させることができる。
【００５３】
この乗場呼び報知手段による注意喚起が有効なのは、例えば、現時点で乗りかご１に乗っている乗客が降りれば、現在の運転対象ゾーンを変更して他のゾーンに含まれる階床からの乗場呼びに対応することができる、という場合である。乗りかご１内にこのような乗場呼び報知手段を設けることによって、セキュリティを確保しつつ、ゾーンごとの運転制御が行われることによる発生しうるエレベータＥの不便さを解消することができる。
【００５４】
なお、さらに、上述した状況下において、例えば、作業を行うために「開延長ボタン」を押して乗りかご１を特定の階床に止めておくといった使用を防止するために「延長登録の無効」といった運転制御を併せて行うことでより効率の良い運転制御を行うことが可能となる。
【００５５】
以上説明したような構成や運転制御の方法を採用することによって、エレベータが１基しか設置されない状況下において、階床を複数のゾーンに分けて各ゾーンごとの運転を行うことで許可された乗客のみをそのゾーン内の階床に移動させるとともに、乗りかご内に乗客が存在しない場合にのみ運転対象ゾーンを変更することで十分なセキュリティを確保することのできるエレベータ及びエレベータの制御方法を提供することができる。
【００５６】
なお、この発明は、上記実施の形態そのままに限定されるものではなく、実施段階ではその要旨を逸脱しない範囲で構成要素を変形して具体化できる。また、上記実施の形態に開示されている複数の構成要素を適宜組み合わせることにより種々の発明を形成できる。例えば、実施の形態に示される全構成要素から幾つかの構成要素を削除してもよい。更に、異なる実施の形態に亘る構成要素を適宜組み合わせてもよい。
【符号の説明】
【００５７】
１  乗りかご
２  かご内呼び登録ボタン
３  検出手段
４  制御手段
５  乗場呼びボタン
６  報知手段
Ｈ  昇降路
Ｒ  ロープ
【図１】
0005473446.tif 000002
【図２】
0005473446.tif 000003
【図３】
0005473446.tif 000004
【図４】
0005473446.tif 000005
【図５】
0005473446.tif 000006